(57)【特許請求の範囲】
【請求項１】
複数の露出型柱脚のそれぞれに作用する軸力によりそれぞれの露出型柱脚が、圧縮側または引張側何れであるかを判定をすると共に、該判定結果を表示手段上に表示するようにした露出型柱脚の設計を支援する露出型柱脚設計支援方法を実施するための、露出型柱脚設計支援システムであって、
長期荷重条件、短期荷重条件あるいは終局荷重条件の少なくとも１の荷重条件において作用する軸力（Ｎ）のうち、少なくとも１の軸力（Ｎ）が、当該少なくとも１の荷重条件における基準軸力（Ｎ３）以下の場合（Ｎ３≧Ｎ）に、当該露出型柱脚は引張側と判定し、
前記判定対象の複数の露出型柱脚のそれぞれを模式的に配置した図を前記表示手段上に表示し、
前記表示手段上の前記図において、前記露出型柱脚のそれぞれに対応した前記露出型柱脚を意味する露出型柱脚マークと前記判定結果とを、視覚的に識別可能に表示したことを特徴とする露出型柱脚設計支援方法を実施するための、露出型柱脚設計支援システム。
【請求項２】
前記判定は、前記露出型柱脚を固定する複数の固定ボルトのうち半数以上の固定ボルトに引張力が作用する場合を、当該露出型柱脚が引張側であるとすることを特徴とする請求項１記載の露出型柱脚設計支援システム。
【請求項３】
前記露出型柱脚が４本アンカーボルトタイプであって、基準軸力（Ｎ３）を次式にて定め、
Ｎ３＝（Ｌ２／Ｄ）＊Ｎ０−２＊Ｔ
Ｌ２＝（Ｄ−２＊ｄ１）／２
Ｎ０＝  ｋ＊１．１＊Ｆｃ＊Ｄ＊Ｂ
ただし、 ｋ＝４／９    ・・・(長期のとき)
ｋ＝２／３    ・・・(短期のとき)
ｋ＝０．８５  ・・・(終局のとき)
Ｔ＝Ａｓ＊Ｆ／１．５   ・・・(長期のとき)
Ｔ＝Ａｓ＊Ｆ           ・・・(短期のとき)
Ｔ＝Ａｂ＊Ｆ           ・・・(終局のとき)
ここで、 Ｄ：ベースプレート幅
Ｂ：ベースプレートの奥行き
ｄ１：中心からアンカーボルトまでの距離
Ｆｃ：コンクリートの設計基準強度
Ｆ：アンカーボルトの設計基準強度
Ａｓ：アンカーボルトのネジ部の有効断面積
Ａｂ：アンカーボルトの軸部の断面積
前記判定は、前記露出型柱脚のそれぞれについて、長期荷重条件、短期荷重条件あるいは終局荷重条件の少なくとも１の荷重条件において作用する軸力（Ｎ）のうち、少なくとも１の軸力（Ｎ）が、当該少なくとも１の荷重条件における前記基準軸力（Ｎ３）以下の場合（Ｎ３≧Ｎ）に、当該露出型柱脚は引張側と判定することを特徴とする請求項１または２記載の露出型柱脚設計支援システム。
【請求項４】
前記露出型柱脚が８本アンカーボルトタイプであって、基準軸力（Ｎ５）を次式にて定め、
Ｎ５＝（Ｌ３／Ｄ）＊Ｎ０−４＊Ｔ
Ｌ３＝（Ｄ−２＊ｄ２）／２
Ｎ０＝  ｋ＊１．１＊Ｆｃ＊Ｄ＊Ｂ
ただし、 ｋ＝４／９    ・・・(長期のとき)
ｋ＝２／３    ・・・(短期のとき)
ｋ＝０．８５  ・・・(終局のとき)
Ｔ＝Ａｓ＊Ｆ／１．５   ・・・(長期のとき)
Ｔ＝Ａｓ＊Ｆ           ・・・(短期のとき)
Ｔ＝Ａｂ＊Ｆ           ・・・(終局のとき)
ここで、
Ｄ：ベースプレート幅
Ｂ：ベースプレートの奥行き
ｄ２：中心から内側のアンカーボルトまでの距離
Ｆｃ：コンクリートの設計基準強度
Ｆ：アンカーボルトの設計基準強度
Ａｓ：アンカーボルトのネジ部の有効断面積
Ａｂ：アンカーボルトの軸部の断面積
前記判定は、前記露出型柱脚のそれぞれについて、長期荷重条件、短期荷重条件あるいは終局荷重条件の少なくとも１の荷重条件において作用する軸力（Ｎ）のうち、少なくとも１の軸力（Ｎ）が、当該少なくとも１の荷重条件における前記基準軸力（Ｎ５）以下の場合（Ｎ５≧Ｎ）に、当該露出型柱脚は引張側と判定することを特徴とする請求項１または２記載の露出型柱脚設計支援システム。
【請求項５】
前記露出型柱脚マークまたは前記判定結果を示す表示の表示色を変えることで視覚的に視認性を高めたことを特徴とする請求項１乃至４の何れかに記載の露出型柱脚設計支援システム。
【請求項６】
前記表示手段に表示された前記露出型柱脚マークおよび前記判定結果を所望により印刷して出力することを特徴とする請求項１乃至５の何れかに記載の露出型柱脚設計支援システム。
【請求項７】
複数の露出型柱脚のそれぞれに作用する軸力によりそれぞれの露出型柱脚が、圧縮側または引張側何れであるかを判定をすると共に、該判定結果を表示手段上に表示するようにした露出型柱脚の設計を支援する露出型柱脚設計支援方法をコンピュータに実行させるための、露出型柱脚設計支援プログラムであって、
長期荷重条件、短期荷重条件あるいは終局荷重条件の少なくとも１の荷重条件において作用する軸力（Ｎ）のうち、少なくとも１の軸力（Ｎ）が、当該少なくとも１の荷重条件における基準軸力（Ｎ３）以下の場合（Ｎ３≧Ｎ）に、当該露出型柱脚は引張側と判定し、
前記判定対象の複数の露出型柱脚のそれぞれを模式的に配置した図を前記表示手段上に表示し、
前記表示手段上の前記図において、前記露出型柱脚のそれぞれに対応した前記露出型柱脚を意味する露出型柱脚マークと前記判定結果とを、視覚的に識別可能に表示したことを特徴とする露出型柱脚設計支援方法をコンピュータに実行させるための、露出型柱脚設計支援プログラム。
【請求項８】
前記判定は、前記露出型柱脚を固定する複数の固定ボルトのうち半数以上の固定ボルトに引張力が作用する場合を、当該露出型柱脚が引張側であるとすることを特徴とする請求項７記載の露出型柱脚設計支援プログラム。
【請求項９】
前記露出型柱脚が４本アンカーボルトタイプであって、基準軸力（Ｎ３）を次式にて定め、
Ｎ３＝（Ｌ２／Ｄ）＊Ｎ０−２＊Ｔ
Ｌ２＝（Ｄ−２＊ｄ１）／２
Ｎ０＝  ｋ＊１．１＊Ｆｃ＊Ｄ＊Ｂ
ただし、 ｋ＝４／９    ・・・(長期のとき)
ｋ＝２／３    ・・・(短期のとき)
ｋ＝０．８５  ・・・(終局のとき)
Ｔ＝Ａｓ＊Ｆ／１．５   ・・・(長期のとき)
Ｔ＝Ａｓ＊Ｆ           ・・・(短期のとき)
Ｔ＝Ａｂ＊Ｆ           ・・・(終局のとき)
ここで、 Ｄ：ベースプレート幅
Ｂ：ベースプレートの奥行き
ｄ１：中心からアンカーボルトまでの距離
Ｆｃ：コンクリートの設計基準強度
Ｆ：アンカーボルトの設計基準強度
Ａｓ：アンカーボルトのネジ部の有効断面積
Ａｂ：アンカーボルトの軸部の断面積
前記判定は、前記露出型柱脚のそれぞれについて、長期荷重条件、短期荷重条件あるいは終局荷重条件の少なくとも１の荷重条件において作用する軸力（Ｎ）のうち、少なくとも１の軸力（Ｎ）が、当該少なくとも１の荷重条件における前記基準軸力（Ｎ３）以下の場合（Ｎ３≧Ｎ）に、当該露出型柱脚は引張側と判定することを特徴とする請求項７または８記載の露出型柱脚設計支援プログラム。
【請求項１０】
前記露出型柱脚が８本アンカーボルトタイプであって、基準軸力（Ｎ５）を次式にて定め、
Ｎ５＝（Ｌ３／Ｄ）＊Ｎ０−４＊Ｔ
Ｌ３＝（Ｄ−２＊ｄ２）／２
Ｎ０＝  ｋ＊１．１＊Ｆｃ＊Ｄ＊Ｂ
ただし、 ｋ＝４／９    ・・・(長期のとき)
ｋ＝２／３    ・・・(短期のとき)
ｋ＝０．８５  ・・・(終局のとき)
Ｔ＝Ａｓ＊Ｆ／１．５   ・・・(長期のとき)
Ｔ＝Ａｓ＊Ｆ           ・・・(短期のとき)
Ｔ＝Ａｂ＊Ｆ           ・・・(終局のとき)
ここで、
Ｄ：ベースプレート幅
Ｂ：ベースプレートの奥行き
ｄ２：中心から内側のアンカーボルトまでの距離
Ｆｃ：コンクリートの設計基準強度
Ｆ：アンカーボルトの設計基準強度
Ａｓ：アンカーボルトのネジ部の有効断面積
Ａｂ：アンカーボルトの軸部の断面積
前記判定は、前記露出型柱脚のそれぞれについて、長期荷重条件、短期荷重条件あるいは終局荷重条件の少なくとも１の荷重条件において作用する軸力（Ｎ）のうち、少なくとも１の軸力（Ｎ）が、当該少なくとも１の荷重条件における前記基準軸力（Ｎ５）以下の場合（Ｎ５≧Ｎ）に、当該露出型柱脚は引張側と判定することを特徴とする請求項７または８記載の露出型柱脚設計支援プログラム。
【請求項１１】
前記露出型柱脚マークまたは前記判定結果を示す表示の表示色を変えることで視覚的に視認性を高めたことを特徴とする請求項７乃至１０の何れかに記載の露出型柱脚設計支援プログラム。
【請求項１２】
前記表示手段に表示された前記露出型柱脚マークおよび前記判定結果を所望により印刷して出力することを特徴とする請求項７乃至１１の何れかに記載の露出型柱脚設計支援プログラム。
【発明の詳細な説明】
【技術分野】
【０００１】
本発明は、設計作業の効率化を図るツールであって、特に、鋼構造物の露出型柱脚を設計する際の力学的状況の判定を支援するための露出型柱脚設計支援方法を実行するための、露出型柱脚設計支援システム、及び該方法を実行するための露出型柱脚設計支援プログラムに関する。
【背景技術】
【０００２】
鋼構造物の露出型柱脚設計に際しては、各露出型柱脚の露出型柱脚型式を設定した上で、露出型柱脚に作用する各種荷重ケース（鉛直荷重と水平荷重との組み合わせでなる）毎の各種応力（軸力、曲げモーメント、せん断力）と耐力とを算出し、応力と耐力とのバランスの度合いを検定し、設計初期段階で設定した露出型柱脚型式が適切か否かの判定を行うことが行われている。
近年では、このような露出型柱脚の耐力検定をコンピュータを用いて行うようにした露出型柱脚設計支援システムが開発されている。
【０００３】
そして、発明者等によって、検定結果を短時間で把握できるように、耐力検定対象の露出型柱脚全体の配列を表示手段上に表示するとともに、露出型柱脚全体の応力と耐力とのバランスの度合いを視覚的に容易に把握できるようにした発明が開示されている。
すなわち、耐力検定対象の複数の露出型柱脚のそれぞれを模式的に配置した図を表示手段上に表示し、表示手段上の図において露出型柱脚を意味する露出型柱脚マークのそれぞれを、対応する露出型柱脚の検定結果に応じて視覚的に区別できる表示形態で表示するようにし、表示手段上の露出型柱脚マークから露出型柱脚の検定結果を視覚的に識別可能としている（例えば、特許文献１参照）。
【０００４】
【特許文献１】特開２００２−２９４８６７号公報（第４−７頁、図１）
【発明の開示】
【発明が解決しようとする課題】
【０００５】
したがって、検定結果が視覚的に識別できるため、設計者は各露出型柱脚の応力−耐力のバランスを容易に把握できるようになり、設計作業に要する時間を短縮でき、また、設計作業の効率化を図ることが可能になっている。
しかしながら、柱型の鉄筋量を定めるため、それぞれの露出型柱脚が「引張側」であるのか「圧縮側」であるのかを判定しようとすると、設計者が、複数の露出型柱脚のそれぞれについて描かれた耐力図に基づいて、１柱脚毎に「引張側」か「圧縮側」かを判定する必要があり、設計に要する作業量の更なる低減方向が要請されていた。
【０００６】
本発明は、このような要請に応えるものであって、それぞれの柱脚が「引張側」であるのか「圧縮側」であるのかを、各荷重条件に対して柱脚毎に耐力図を描くことなく、それぞれの柱脚毎に自動判定をすると共に、全ての柱脚についての自動判定結果を視覚的に表示することを可能にする、露出型柱脚設計支援方法を実行するための、露出型柱脚設計支援システム、及び該方法を実行するための露出型柱脚設計支援プログラムを提供することを目的とする。
【課題を解決するための手段】
【０００７】
（１）本発明に係る露出型柱脚設計支援システムは、複数の露出型柱脚のそれぞれに作用する軸力によりそれぞれの露出型柱脚が、圧縮側または引張側何れであるかを判定をすると共に、該判定結果を表示手段上に表示するようにした露出型柱脚の設計を支援する露出型柱脚設計支援方法を実施するための、露出型柱脚設計支援システムであって、
長期荷重条件、短期荷重条件あるいは終局荷重条件の少なくとも１の荷重条件において作用する軸力（Ｎ）のうち、少なくとも１の軸力（Ｎ）が、当該少なくとも１の荷重条件における基準軸力（Ｎ３）以下の場合（Ｎ３≧Ｎ）に、当該露出型柱脚は引張側と判定し、
前記判定対象の複数の露出型柱脚のそれぞれを模式的に配置した図を前記表示手段上に表示し、
前記表示手段上の前記図において、前記露出型柱脚のそれぞれに対応した前記露出型柱脚を意味する露出型柱脚マークと前記判定結果とを、視覚的に識別可能に表示したことを特徴とする。
【０００８】
（２）また、前記判定は、前記露出型柱脚を固定する複数の固定ボルトのうち半数以上の固定ボルトに引張力が作用する場合を、当該露出型柱脚が引張側であるとすることを特徴とする。
（３）また、前記（１）または（２）において、前記露出型柱脚が４本アンカーボルトタイプであって、基準軸力（Ｎ３）を次式にて定め、
Ｎ３＝（Ｌ２／Ｄ）＊Ｎ０−２＊Ｔ
Ｌ２＝（Ｄ−２＊ｄ１）／２
Ｎ０＝  ｋ＊１．１＊Ｆｃ＊Ｄ＊Ｂ
ただし、 ｋ＝４／９    ・・・(長期のとき)
ｋ＝２／３    ・・・(短期のとき)
ｋ＝０．８５  ・・・(終局のとき)
Ｔ＝Ａｓ＊Ｆ／１．５   ・・・(長期のとき)
Ｔ＝Ａｓ＊Ｆ           ・・・(短期のとき)
Ｔ＝Ａｂ＊Ｆ           ・・・(終局のとき)
ここで、 Ｄ：ベースプレート幅
Ｂ：ベースプレートの奥行き
ｄ１：中心からアンカーボルトまでの距離
Ｆｃ：コンクリートの設計基準強度
Ｆ：アンカーボルトの設計基準強度
Ａｓ：アンカーボルトのネジ部の有効断面積
Ａｂ：アンカーボルトの軸部の断面積
前記判定は、前記露出型柱脚のそれぞれについて、長期荷重条件、短期荷重条件あるいは終局荷重条件の少なくとも１の荷重条件において作用する軸力（Ｎ）のうち、少なくとも１の軸力（Ｎ）が、当該少なくとも１の荷重条件における前記基準軸力（Ｎ３）以下の場合（Ｎ３≧Ｎ）に、当該露出型柱脚は引張側と判定することを特徴とする。
【０００９】
（４）また、前記（１）または（２）において、前記露出型柱脚が８本アンカーボルトタイプであって、基準軸力（Ｎ５）を次式にて定め、
Ｎ５＝（Ｌ３／Ｄ）＊Ｎ０−４＊Ｔ
Ｌ３＝（Ｄ−２＊ｄ２）／２
Ｎ０＝  ｋ＊１．１＊Ｆｃ＊Ｄ＊Ｂ
ただし、 ｋ＝４／９    ・・・(長期のとき)
ｋ＝２／３    ・・・(短期のとき)
ｋ＝０．８５  ・・・(終局のとき)
Ｔ＝Ａｓ＊Ｆ／１．５   ・・・(長期のとき)
Ｔ＝Ａｓ＊Ｆ           ・・・(短期のとき)
Ｔ＝Ａｂ＊Ｆ           ・・・(終局のとき)
ここで、 Ｄ：ベースプレート幅
Ｂ：ベースプレートの奥行き
ｄ２：中心から内側のアンカーボルトまでの距離
Ｆｃ：コンクリートの設計基準強度
Ｆ：アンカーボルトの設計基準強度
Ａｓ：アンカーボルトのネジ部の有効断面積
Ａｂ：アンカーボルトの軸部の断面積
前記判定は、前記露出型柱脚のそれぞれについて、長期荷重条件、短期荷重条件あるいは終局荷重条件の少なくとも１の荷重条件において作用する軸力（Ｎ）のうち、少なくとも１の軸力（Ｎ）が、当該少なくとも１の荷重条件における前記基準軸力（Ｎ５）以下の場合（Ｎ５≧Ｎ）に、当該露出型柱脚は引張側と判定することを特徴とする。
（５）また、前記（１）〜（４）の何れかにおいて、前記露出型柱脚マークまたは前記判定結果を示す表示の表示色を変えることで視覚的に視認性を高めたことを特徴とする。
（６）また、前記（１）〜（５）の何れかにおいて、前記表示手段に表示された前記露出型柱脚マークおよび前記判定結果を所望により印刷して出力することを特徴とする。
【００１０】
（７）さらに、本発明に係る露出型柱脚設計支援プログラムは、複数の露出型柱脚のそれぞれに作用する軸力によりそれぞれの露出型柱脚が、圧縮側または引張側何れであるかを判定をすると共に、該判定結果を表示手段上に表示するようにした露出型柱脚の設計を支援する露出型柱脚設計支援方法をコンピュータに実行させるための、露出型柱脚設計支援プログラムであって、
長期荷重条件、短期荷重条件あるいは終局荷重条件の少なくとも１の荷重条件において作用する軸力（Ｎ）のうち、少なくとも１の軸力（Ｎ）が、当該少なくとも１の荷重条件における基準軸力（Ｎ３）以下の場合（Ｎ３≧Ｎ）に、当該露出型柱脚は引張側と判定し、
前記判定対象の複数の露出型柱脚のそれぞれを模式的に配置した図を前記表示手段上に表示し、
前記表示手段上の前記図において、前記露出型柱脚のそれぞれに対応した前記露出型柱脚を意味する露出型柱脚マークと前記判定結果とを、視覚的に識別可能に表示したことを特徴とする露出型柱脚設計支援方法をコンピュータに実行させるものである。
（８）また、前記（７）において、前記判定は、前記露出型柱脚を固定する複数の固定ボルトのうち半数以上の固定ボルトに引張力が作用する場合を、当該露出型柱脚が引張側であるとすることを特徴とする。
【００１１】
（９）また、前記（７）または（８）において、前記露出型柱脚が４本アンカーボルトタイプであって、基準軸力（Ｎ３）を次式にて定め、
Ｎ３＝（Ｌ２／Ｄ）＊Ｎ０−２＊Ｔ
Ｌ２＝（Ｄ−２＊ｄ１）／２
Ｎ０＝  ｋ＊１．１＊Ｆｃ＊Ｄ＊Ｂ
ただし、 ｋ＝４／９    ・・・(長期のとき)
ｋ＝２／３    ・・・(短期のとき)
ｋ＝０．８５  ・・・(終局のとき)
Ｔ＝Ａｓ＊Ｆ／１．５   ・・・(長期のとき)
Ｔ＝Ａｓ＊Ｆ           ・・・(短期のとき)
Ｔ＝Ａｂ＊Ｆ           ・・・(終局のとき)
ここで、 Ｄ：ベースプレート幅
Ｂ：ベースプレートの奥行き
ｄ１：中心からアンカーボルトまでの距離
Ｆｃ：コンクリートの設計基準強度
Ｆ：アンカーボルトの設計基準強度
Ａｓ：アンカーボルトのネジ部の有効断面積
Ａｂ：アンカーボルトの軸部の断面積
前記判定は、前記露出型柱脚のそれぞれについて、長期荷重条件、短期荷重条件あるいは終局荷重条件の少なくとも１の荷重条件において作用する軸力（Ｎ）のうち、少なくとも１の軸力（Ｎ）が、当該少なくとも１の荷重条件における前記基準軸力（Ｎ３）以下の場合（Ｎ３≧Ｎ）に、当該露出型柱脚は引張側と判定することを特徴とする。
【００１２】
（１０）また、前記（７）または（８）において、前記露出型柱脚が８本アンカーボルトタイプであって、基準軸力（Ｎ５）を次式にて定め、
Ｎ５＝（Ｌ３／Ｄ）＊Ｎ０−４＊Ｔ
Ｌ３＝（Ｄ−２＊ｄ２）／２
Ｎ０＝  ｋ＊１．１＊Ｆｃ＊Ｄ＊Ｂ
ただし、 ｋ＝４／９    ・・・(長期のとき)
ｋ＝２／３    ・・・(短期のとき)
ｋ＝０．８５  ・・・(終局のとき)
Ｔ＝Ａｓ＊Ｆ／１．５   ・・・(長期のとき)
Ｔ＝Ａｓ＊Ｆ           ・・・(短期のとき)
Ｔ＝Ａｂ＊Ｆ           ・・・(終局のとき)
ここで、 Ｄ：ベースプレート幅
Ｂ：ベースプレートの奥行き
ｄ２：中心から内側のアンカーボルトまでの距離
Ｆｃ：コンクリートの設計基準強度
Ｆ：アンカーボルトの設計基準強度
Ａｓ：アンカーボルトのネジ部の有効断面積
Ａｂ：アンカーボルトの軸部の断面積
前記判定は、前記露出型柱脚のそれぞれについて、長期荷重条件、短期荷重条件あるいは終局荷重条件の少なくとも１の荷重条件において作用する軸力（Ｎ）のうち、少なくとも１の軸力（Ｎ）が、当該少なくとも１の荷重条件における前記基準軸力（Ｎ５）以下の場合（Ｎ５≧Ｎ）に、当該露出型柱脚は引張側と判定することを特徴とする。
（１１）また、前記（７）〜（１０）の何れかにおいて、前記露出型柱脚マークまたは前記判定結果を示す表示の表示色を変えることで視覚的に視認性を高めたことを特徴とする。
（１２）また、前記（７）〜（１１）の何れかにおいて、前記表示手段に表示された前記露出型柱脚マークおよび前記判定結果を所望により印刷して出力することを特徴とする。
【発明の効果】
【００１３】
本発明は以上の構成であって、耐力検定対象の複数の露出型柱脚のそれぞれについて、露出型柱脚のそれぞれに対応したこれを意味する露出型柱脚マークを、模式的に配置した図を表示手段上に表示すると共に、当該図に、「引張側または圧縮側」の何れであるかの判定結果を、視覚的に表示するため、１柱脚毎の耐力図を描くことなく、全て露出型柱脚についての判定結果を、自動かつ迅速に知ることが可能にする。
【発明を実施するための最良の形態】
【００１４】
前記のように、特許文献１に開示された発明は、露出型柱脚マークを模式的に配置した図を表示手段上に表示すると共に、当該図に、応力を耐力で除した「検定値」を表示するものである。
一方、本発明は、前記検定値に追加して、あるいは前記検定値に替えて、露出型柱脚が「引張側または圧縮側の何れであるかの判定結果」を、視覚的に表示するものである。したがって、以下、特許文献１の記載を流用しながら、本発明を説明する。なお、以下の説明における前記検定値に関連する内容は必須ではなく、省略することができるものである。また、露出型柱脚が圧縮側または引張側何れであるかを判定することを、「圧引判定」と称す場合がある。
【００１５】
［実施の形態１］
図１は本発明の実施の形態１に係る露出型柱脚設計支援プログラムを説明するものであって、これを実施するための処理の流れの一例を示すフローチャート、図２は図１に示す露出型柱脚設定支援プログラムにおける画面遷移の一例を示す図である。なお、図２において実線矢印はウィンドウの遷移の流れを示し、破線矢印は、データの流れを示している。また、２重枠で示されている部分は、本実施の形態の特徴部分である。また、図３は露出型柱脚設計支援プログラムを実行するための機器構成である露出型柱脚設計支援システムの構成を示すブロック図である。
【００１６】
（システム構成）
まず、図３に基づいて露出型柱脚設計支援システム１の構成を説明する。
露出型柱脚設計支援システム１は、表示手段３と、入力手段としてのマウス５及びキーボード７と、記憶装置（たとえば、ＦＤ駆動装置、ＣＤ−ＲＯＭ駆動装置等）９と、メモリ１３と、ハードディスク１５と、プリンタ１７と、露出型柱脚設計支援システムを統括して管理するＣＰＵ１９とを具備した構成となっている。
ＣＰＵ１９は、ハードディスク１５にインストールされた露出型柱脚設計支援プログラムを実行して当該プログラムに基づく処理を行う。この露出型柱脚設計支援プログラムは、当該プログラムを記録した記録媒体（例えばＦＤ、ＣＤ−ＲＯＭ等）によって提供され、記憶装置９を介してハードディスクにインストール１５にインストールされる。
【００１７】
（ハードディスク）
ハードディスク１５内には管理ＩＤによってそれぞれ対応付けられた、柱脚・露出型柱脚リストテーブル１６、耐力検定テーブル群１８、柱脚・通り記号定義テーブル２０が格納されている（図２参照）。なお、柱脚・露出型柱脚リストテーブル１６及び耐力検定テーブル群１８は、それぞれ従来の柱脚・露出型柱脚リストテーブル１０１及び耐力検定テーブル群１０２と同様のもので、ここでは、これら露出型柱脚リストテーブル１０１及び耐力検定テーブル群１０２には、耐力検定対象の複数の露出型柱脚のそれぞれに関する各種情報が予め格納されていることとする。
なお、耐力検定対象とする露出型柱脚は、建築物の露出型柱脚全体であってもよいし、設計者が任意に選択した領域内の露出型柱脚であってもよい。例えば、経験豊かな設計者であれば、設計図から応力と耐力のバランスに問題がありそうな露出型柱脚にあたりをつけることが可能であるため、その露出型柱脚を含む所望の領域内が選択されることになる。
【００１８】
（柱脚・露出型柱脚リストテーブル）
図４は柱脚・露出型柱脚リストテーブルを示す図である。図４において、柱脚・露出型柱脚リストテーブル１６には、耐力検定対象の複数の露出型柱脚のそれぞれについて（図４には便宜上１つの露出型柱脚しか示していない）の、管理ＩＤと、露出型柱脚を特定するためのＸ符号及びＹ符号と、柱脚符号（柱脚の材料の形状（角型、円形など）、寸法（径、板厚など）、材質（強度、溶接特性など）の組合せを定義する符号）と、鋼管記号（鋼管の形状、寸法を現す記号）と、露出型柱脚型式（ベースプレートの外形寸法、アンカーボルトのボルト径、ベースプレートとアンカーボルトのそれぞれの強度の組合せを現す記号）とが格納されている。
【００１９】
（耐力検定テーブル群）
図５〜図７は耐力検定テーブル群を構成する各テーブルを示した図で、図５は応力・耐力情報テーブル、図６は軸力検定用テーブル、図７（ａ）（ｂ）は、柱脚軸方向別（（ａ）がＸ軸方向、（ｂ）がＹ軸方向）の露出型柱脚検定テーブルを示している。
図５に示す応力・耐力情報テーブルには、耐力検定対象の複数の露出型柱脚のそれぞれについて（図５には便宜上１つの露出型柱脚しか示していない）、管理ＩＤと、柱脚軸方向（Ｘ軸方向、Ｙ軸方向）毎に、各種荷重条件（長期Ｌ、短期Ｌ＋Ｓ、短期Ｌ＋ＬＷ、短期Ｌ＋ＲＷ、短期Ｌ＋ＬＥ、短期Ｌ＋ＲＥ、終局Ｌ＋γＬＥ、終局Ｌ＋γＲＥ）での軸力Ｎ、曲げモーメント、せん断力のそれぞれについての応力と耐力とが格納されている（なお、軸力については応力のみ）。
なお、前記のように、本発明は「圧引判定」をするものであるから、「圧引判定」に特化する場合には、応力・耐力情報テーブルから、曲げモーメントおよびせん断力を削除してもよい（後記する実施の形態２参照）。
【００２０】
（軸力検定用テーブル）
また、図６に示す軸力検定用テーブルには、耐力検定対象の複数の露出型柱脚のそれぞれについて（図６には便宜上１つの露出型柱脚しか示していない）、管理ＩＤと、積載荷重（長期、短期、終局）毎に、軸力についての圧縮耐力と引張耐力とが格納されている。
【００２１】
（プログラムの動作）
以下、本実施の形態に係る露出型柱脚設定支援プログラムの動作を図１及び図３を参照しながら説明する。
ここで、露出型柱脚設計支援プログラムのフローチャートの説明に先立って、本実施の形態に係る露出型柱脚設計支援プログラムにおける特徴部分の概略を説明する。なお、詳細については後述する。
本実施の形態に係る露出型柱脚設計支援プログラムは、特許文献１に開示された発明であるキープランに準じて、圧引判定の結果を視覚的に表示するものである。すなわち、後述の図１２に示すような、圧引判定の対象である複数の露出型柱脚の配列を模式的に示す図（以下、キープランと呼ぶ）を表示手段３上に表示するとともに、キープラン上で露出型柱脚を意味する露出型柱脚マークに対応して（重なるように）、圧引判定の結果が識別できるような文字やマークや色調等によって視覚的に区別して表示するようにしたことに特徴を有するものである。したがって、このキープランにより、設計者は、各柱脚毎の圧引判定の結果を視覚的に容易に把握することが可能となるから、設計作業の時間短縮及び効率化を図ることができるものである。
【００２２】
なお、キープランでは、設計図上の露出型柱脚の配置位置をキープランの座標系の位置に置換し、その置換された位置にそれぞれ露出型柱脚マークが表示される。このため、例えば実際の設計図面上の柱脚配列が、図９（ａ）の各軸の各交点に配列されたような配列であっても、そのキープランは、図９（ｂ）のようにキープランの座標系で整理されて表現される。なお、ここでは、キープランの座標系をＸ−Ｙ直交座標系とした場合を例示している。
【００２３】
実施の形態１の特徴部分が明らかになったところで、図１及び図３を参照しながら露出型柱脚設計支援プログラムの動作について説明する。
ＣＰＵ１９は、設計者によるマウス５のクリック操作などにより露出型柱脚設計支援プログラムが起動されたことを認識すると、表示手段３上にメインウィンドウを表示する（Ｓ１）。このメインウィンドウにおいては、マウス５の操作により図２に示された各種のウィンドウを表示させることができるようになっている。ここでは、設計者によって耐力検定結果を示す耐力検定ウィンドウの表示指示が行われ、ＣＰＵ１９はこの指示を認識すると、耐力検定ウィンドウを表示手段３上に表示する。
【００２４】
（耐力検定ウィンドウ）  
図１０は耐力検定ウィンドウの一例を示す図である。この耐力検定ウィンドウは、耐力検定テーブル群１８に基づいて構成されるウィンドウであって、従来の耐力検定ウィンドウとほぼ同様の構成であるが、露出型柱脚位置定義フィールド２１が新たに設けられている点が異なっている。なお、露出型柱脚位置定義フィールド２１を除く他の部分は同じであり、その説明は重複するため省略する。
また、露出型柱脚位置定義フィールド２１については、以下の該当箇所で詳述する。ＣＰＵ１９は、この耐力検定ウィンドウのリストボタン２３がクリックされたことを認識すると、耐力検定ウィンドウに重ねて柱脚・通り記号定義ウィンドウを表示する（Ｓ２）。
【００２５】
（柱脚・通り記号定義ウィンドウ）  
図１１は、柱脚・通り記号定義ウィンドウの一例を示す図である。
通常、設計図上では、柱脚位置を特定するための通り記号が柱脚列毎に付されている。例えば図９（ａ）の例ではＲ１〜Ｒ３，Ｘ１〜Ｘ３，Ｓ１〜Ｓ４が通り記号に該当する。柱脚・通り記号定義ウィンドウでは、このような通り記号を、キープランの座標系の各座標軸の番号（以下、座標軸通り番号という）で定義するための入力が行われる（Ｓ３）。
このように通り記号を座標軸通り番号で定義することにより、先の図９（ａ）に示したような複雑な柱脚配列の耐力検定の際にも適用可能な汎用性の高い設計支援システムを構築できることとなる。そして、ここで定義された通り記号は、キープラン上に表示される各座標軸にそれぞれに表示されることになる。
【００２６】
すなわち、図１１には、Ｘ軸の座標軸通り番号１〜１０のそれぞれの通り記号入力フィールド３１に通り記号Ｘ１〜Ｘ１０が入力され、Ｙ軸の座標軸通り番号１〜１０のそれぞれの通り記号入力フィールド３２に通り記号Ｙ１〜Ｙ１０が入力された場合を示しており、この場合、キープラン上には図１２に示すように通り記号が表示されることになる。
【００２７】
なお、通り記号入力フィールド３１、３２に入力する際には、キーボード７を利用して直接入力するようにしても良いし、採番設定支援フィールド３３〜３５を利用して行っても良い。具体的には例えば図１１に示されているようにＸ１〜Ｘ１０を入力したい場合には、まず、軸選択フィールド３６でＸ軸のラジオボタンを選択し、採番設定支援フィールド３３の頭文字入力フィールド３３ａにＸを、連番入力フィールド３３ｂに１を入力し、連番開始値設定フィールド３３ｃ及び連番開始値設定フィールド３４ｄにそれぞれ１及び１０を入力して採番ボタン３３ｅを押下することにより、通り記号入力フィールド３１にＸ１〜Ｘ１０を自動的に入力することが可能となる。
【００２８】
また、座標軸通り番号と同じ番号を入力したい場合には、採番設定支援フィールド３４を利用することで、簡単に入力することが可能となる。すなわち、同じ値にしたい最後のセルの番号を終了セル入力フィールド３４ａに入力して採番ボタン３４ｂを押下することにより、記号入力フィールド３１内において、カーソルが位置する現在セルから終了セル入力フィールド３４ａに入力されたセルまでに、座標軸通り番号と同じ値が自動的に入力されることになる。また、クリアフィールド３５は、カーソルが位置する現在セルからセル指定フィールド３５ａに入力したセルに入力された内容全てをクリアボタン３５ｂの押下によってクリアするものである。なお、これら採番設定支援機能は、当然のことながら露出型柱脚設計支援プログラムによって提供されるものである。
【００２９】
このようにして通り記号が通り記号入力フィールド３１、３２に入力され、設計者によりＯＫボタン３７が押下されると（Ｓ４）、ＣＰＵ１９は、ここで入力された定義情報をハードディスク１５に書き込むとともに、通り記号定義ウィンドウを閉じてその制御を耐力検定ウィンドウに戻す。
【００３０】
（耐力検定ウィンドウ）
耐力検定ウィンドウ（図１０参照）は、上述したように従来の耐力検定ウィンドウに新たに露出型柱脚位置定義フィールド２１が設けられたもので、この露出型柱脚位置定義フィールド２１を利用して各露出型柱脚位置の定義が行われる。
【００３１】
具体的に説明すると、設計図上においてＸ１，Ｙ１で特定される露出型柱脚を耐力検定ウィンドウ上で定義する場合、図１０に示されているように、露出型柱脚位置定義フィールドのＸ入力フィールド２１ａ及びＹ入力フィールド２１ｂに、それぞれ当該露出型柱脚位置を特定する通り記号Ｘ１，Ｙ１に対応する座標軸通り番号１をそれぞれ入力する。なお、Ｘ入力フィールド２１ａ及びＹ入力フィールド２１ｂのそれぞれの横のフィールド２２ａ、２２ｂには、それぞれ対応する通り記号が自動表示されるようになっている。
この露出型柱脚位置の定義は、設計図面を参照しながら行われる。以上のようにして定義された内容は、ハードディスク１５内の柱脚・通り記号定義テーブル２０に格納される。図８は柱脚・通り記号定義テーブルを示す図であり、図８に示されているように、柱脚・通り記号定義テーブル２０では、上記の定義内容が管理ＩＤ別に管理されている。
【００３２】
その後、圧引判定対象の全ての露出型柱脚について圧引判定が行われ（Ｓ６の１、これについては別途詳細に説明する）、ＣＰＵ１９は、耐力検定テーブル群１８、柱脚・通り記号定義テーブル２０に基づいてキープランを生成して表示手段３上に表示する（Ｓ７の２）。
【００３３】
（キープラン）
図１２〜図１６はキープランの一例を示す図で、図１２はキープラン全体を示しており、図１３〜図１６は実際に表示手段３上に表示されたキープランを示している。キープランについては、これまでに簡単に説明してきたが、ここでは詳細に説明する。
キープラン（図１２参照）には、二次元の座標系による座標軸（ここでは直交座標系によるＸ軸及びＹ軸）が所定の間隔で表示され、各軸には、柱脚・通り記号定義ウィンドウ（図１１参照）で定義された通り記号がＸ軸方向（図示右方向）、Ｙ軸方向（図示上方向）に順に表示される。そして、耐力検定ウィンドウ（図１０参照）を利用して定義された全ての露出型柱脚について、それぞれの露出型柱脚位置すなわち通り記号で特定される座標の交点に露出型柱脚マーク□が表示される。
【００３４】
（圧引判定）
圧引判定は、露出型柱脚のそれぞれについて、長期荷重条件、短期荷重条件あるいは終局荷重条件の少なくとも１の荷重条件において作用する軸力のうち、少なくとも１の軸力（Ｎ）が、当該少なくとも１の荷重条件における基準軸力以下の場合に、当該露出型柱脚は引張側と判定するものである。
したがって、長期荷重条件（Ｘ方向およびＹ方向）、短期荷重条件（Ｘ方向およびＹ方向）あるいは終局荷重条件（Ｘ方向およびＹ方向）の全て（６ケース）の荷重条件において、前記判定をする場合や、何れかの荷重条件を組み合わせて判断する場合があり、それぞれの荷重条件に対応して、判定結果が表示される。たとえば、短期荷重条件（Ｘ方向およびＹ方向）と終局荷重条件（Ｘ方向およびＹ方向）の４ケースについて判定したり、たとえば、短期荷重条件（Ｘ方向およびＹ方向）の２ケースについて判定したり、たとえば、終局荷重条件のＸ方向について判定したりする。
【００３５】
そして、圧引判定の結果は、露出型柱脚マーク□に対応して、該マーク□の近傍に、「圧縮」または「引張」と文字によって視覚的に表示している。
なお、かかる表示要領は限定するものではなく、文字に替えて、それぞれを示す記号や異なる色彩等を付してもよい。また、圧引判定の結果に基づいて、前記マーク□自体の表示色を変更したり、□（四角）形状を変更（例えば、圧縮側を□（四角形状）で、引張側を○（丸形状）にする）したりしてもよい。
【００３６】
（圧引判定：４本アンカーボルトタイプ）
次に、露出型柱脚が４本アンカーボルトタイプである場合の圧引判定の要領について説明する。図１９は本発明の実施の形態１に係る露出型柱脚設計支援プログラムにおける、圧引判定の処理の流れ（図１に示すＳ７の１）の一例を示すフローチャートである。
まず、長期荷重条件における基準軸力（Ｎ３）を演算する。すなわち、
Ｎ３＝（Ｌ２／Ｄ）＊Ｎ０−２＊Ｔ    ・・・（式１）
Ｌ２＝（Ｄ−２＊ｄ１）／２          ・・・（式２）
Ｎ０＝  ｋ＊１．１＊Ｆｃ＊Ｄ＊Ｂ      ・・・（式３）
ただし、 ｋ＝４／９            ・・・(長期のとき、式４)
Ｔ＝Ａｓ＊Ｆ／１．５   ・・・(長期のとき、式７)
ここで、 Ｄ：ベースプレート幅
Ｂ:ベースプレートの奥行き
ｄ１：中心からのアンカーボルトまでの距離
Ｆｃ：コンクリートの設計基準強度
Ｆ：アンカーボルトの設計基準強度
Ａｓ：アンカーボルトのネジ部の有効断面積
Ａｂ：アンカーボルトの軸部の断面積
である。
そして、露出型柱脚の全てについて、順番に露出型柱脚のそれぞれに作用する軸力と、前記演算によって求めた基準軸量（Ｎ３）とを比較する。たとえば、図５におけるＸ方向の軸力「２０．００」およびＹ方向の軸力「２０．００」と基準軸量（Ｎ３）とを比較し、何れかが「Ｎ３≧Ｎ」の場合に、当該露出型柱脚は長期荷重条件において引張側と判定する。
【００３７】
次に、短期荷重条件における基準軸力（Ｎ３）を演算する。すなわち、
Ｎ３＝（Ｌ２／Ｄ）＊Ｎ０−２＊Ｔ    ・・・（式１）
Ｌ２＝（Ｄ−２＊ｄ１）／２          ・・・（式２）
Ｎ０＝  ｋ＊１．１＊Ｆｃ＊Ｄ＊Ｂ      ・・・（式３）
ただし、ｋ＝ ２／３                ・・・(短期のとき、式５)
Ｔ＝Ａｓ＊Ｆ              ・・・(短期のとき、式８)
である。
そして、露出型柱脚の全てについて、順番に露出型柱脚のそれぞれに作用する軸力と、前記演算によって求めた基準軸量（Ｎ３）とを比較する。たとえば、図５におけるＸ方向の軸力「２０．１０、４５．１０、−４．５１、・・・」およびＹ方向の軸力「２０．１０、１６．３２、４．５１、・・・」のそれぞれと基準軸量（Ｎ３）とを比較し、何れか１つでも「Ｎ３≧Ｎ」の場合に、当該露出型柱脚は短期荷重条件において引張側と判定する。
【００３８】
さらに、終局荷重条件における基準軸力（Ｎ３）を演算する。すなわち、
Ｎ３＝（Ｌ２／Ｄ）＊Ｎ０−２＊Ｔ    ・・・（式１）
Ｌ２＝（Ｄ−２＊ｄ１）／２          ・・・（式２）
Ｎ０＝  ｋ＊１．１＊Ｆｃ＊Ｄ＊Ｂ      ・・・（式３）
ただし、ｋ＝０．８５               ・・・(終局のとき、式６)
Ｔ＝Ａb＊Ｆ                ・・・(終局のとき、式９）
である。
そして、露出型柱脚の全てについて、順番に露出型柱脚のそれぞれに作用する軸力と、前記演算によって求めた基準軸量（Ｎ３）とを比較する。たとえば、図５におけるＸ方向の軸力「８０．００、−４０．００」およびＹ方向の軸力「４４．００、−４．００」と基準軸量（Ｎ３）とを比較し、何れかが「Ｎ３≧Ｎ」の場合に、当該露出型柱脚は終局荷重条件における引張側と判定する。
【００３９】
そして、長期荷重条件、短期荷重条件または終局荷重条件の何れかにおいて、少なくとの１の軸力（Ｎ）が「Ｎ３≧Ｎ」の場合に、当該露出型柱脚は「引張側」であると判定する。したがって、特定の露出型柱脚について特定の荷重条件において「引張」の判定がされた場合には、これ以外の荷重条件における比較を中止して、当該露出型柱脚は「引張側」であると判定してもよい。なお、以上の比較は、露出型柱脚の全てについて、順次実行するものである。
なお、前記は、長期荷重条件、短期荷重条件または終局荷重条件の全てについて判定するものであるが、判定する荷重条件は適宜選定することができるものである。したがって、たとえば、短期荷重条件または終局荷重条件について判定する場合には、長期荷重条件における演算は不要になり、終局荷重条件について判定する場合には、長期荷重条件および短期荷重条件における演算は不要になる。
【００４０】
（圧引判定：８本アンカーボルトタイプ）
また、露出型柱脚が８本アンカーボルトタイプの場合は、４本アンカーボルトタイプの場合に準じるものである。
まず、長期荷重条件における基準軸力（Ｎ３）を演算する。すなわち、
Ｎ５＝（Ｌ３／Ｄ）＊Ｎ０−４＊Ｔ      ・・・（式１１）
Ｌ３＝（Ｄ−２＊ｄ２）／２            ・・・（式１２）
Ｎ０＝  ｋ＊１．１＊Ｆｃ＊Ｄ＊Ｂ        ・・・（式１３）
ただし、ｋ＝４／９                  ・・・(長期のとき、式１４)
Ｔ＝Ａｓ＊Ｆ／１．５       ・・・(長期のとき、式１７)
である。
次に、長期荷重条件における基準軸力（Ｎ３）を演算する。すなわち、
Ｎ５＝（Ｌ３／Ｄ）＊Ｎ０−４＊Ｔ      ・・・（式１１）
Ｌ３＝（Ｄ−２＊ｄ２）／２            ・・・（式１２）
Ｎ０＝  ｋ＊１．１＊Ｆｃ＊Ｄ＊Ｂ        ・・・（式１３）
ただし、ｋ＝２／３                   ・・・(短期のとき、式１５)
Ｔ＝Ａｓ＊Ｆ                 ・・・(短期のとき、式１８)
さらに、終局荷重条件における基準軸力（Ｎ３）を演算する。すなわち、
Ｎ５＝（Ｌ３／Ｄ）＊Ｎ０−４＊Ｔ      ・・・（式１１）
Ｌ３＝（Ｄ−２＊ｄ２）／２            ・・・（式１２）
Ｎ０＝  ｋ＊１．１＊Ｆｃ＊Ｄ＊Ｂ        ・・・（式１３）
ただし、ｋ＝０．８５                 ・・・(終局のとき、式１６)
Ｔ＝Ａｂ＊Ｆ                  ・・・(終局のとき、式１９）
である。
【００４１】
（曲げモーメント表示）
ここで、露出型柱脚マーク□は、曲げモーメントＭが□内、せん断力Ｑが□枠を示すもので、露出型柱脚マーク□内が曲げモーメントＭの最大検定値の表示色によって塗りつぶされ、露出型柱脚マーク□枠の色がせん断力Ｑの最大検定値の表示色で表示される。
具体例で説明すると、図１３において座標Ｘ１，Ｙ１の露出型柱脚４１は、曲げモーメントＭの検定値のうちの最大値が０．５６であり、０．５を超え０．７５以下で、せん断力Ｑの検定値のうちの最大値が０．９７であり、０．７５を超え１．０以下であることから、図１７の符号５１内の色定義により、露出型柱脚マーク□内が水色で塗りつぶされ、露出型柱脚マーク□枠が黄太線で表示されることになる。なお、図１７において検定値を分類する各基準値（０．５、０．７５）は、任意に変更可能である。
【００４２】
また、ＣＰＵ１９は、耐力検定テーブル群１８の露出型柱脚検定テーブル（図７参照）で管理されている複数の検定値の中から、露出型柱脚型式が同一なもの毎に、それぞれ曲げモーメントＭの最大値と、せん断力Ｑの最大値とをそれぞれ検索し、該当する露出型柱脚については、図１７の符号５２の色定義を優先して適用する。
すなわち、図１４の露出型柱脚４２は、曲げモーメントＭの最大検定値が１．２８であるため、図１７の符号５１の色定義によれば露出型柱脚マーク□枠内を桃色で表示するところであるが、型式が「□−５００−８Ｍ−４２」であるもののうち、曲げモーメントＭの検定値が最大である露出型柱脚に該当するため、当該露出型柱脚マーク□枠内を濃い桃色で表示する。
また、図１５の露出型柱脚４３は、型式が「□−５００−８Ｍ−４８」であるもののうち、曲げモーメントＭ、せん断力Ｑの両方ともその検定値が最大であるため、露出型柱脚マーク□枠内、露出型柱脚マーク□枠とも、符号５２の色定義が適用され、それぞれ濃い桃色、赤太線で表示される。
【００４３】
次に、露出型柱脚マーク□右上に表示される表の出力内容を説明する。図１８は出力内容の説明図である。この表の表示に際し、ＣＰＵ１９で行われる表示処理は以下の通りである。
ＣＰＵ１９は各露出型柱脚毎に、耐力検定情報テーブルから、柱脚符号と、露出型柱脚型式と、判定結果とを抽出するとともに、先に検索した曲げモーメントＭ及びせん断力Ｑのそれぞれの最大検定値と、該最大検定値をもたらした荷重ケースと、判定結果とを抽出し、対応する露出型柱脚マークの右上に表形式で表示する。なお、検定値が１を超えたものについては、設計変更が必要であるので、識別できる情報を表示する。具体的には、図１６の露出型柱脚４４は曲げモーメントＭの最大値が１を超えており、表にはその内容（＊３）が表示されている。なお、この出力内容表及び図１７の色定義テーブルは、図１３に示すように表示手段３上のキープランにも表示され、設計者が確認しやすいようになっている。                                                     
【００４４】
設計者は、このように構成されたキープランから、圧引判定の結果を視覚的に把握することが可能となる。
以上のように、キープランを確認し、露出型柱脚設計が完了する（Ｓ８）。
【００４５】
なお、図１０〜図１３においては全方向表示タブ６１が選択され、柱脚軸方向がＸ、Ｙの両方についての検定結果に基づくキープランが表示されている場合を示しているが、Ｘ方向表示タブ６２や、Ｙ方向表示タブ６３を選択して柱脚軸方向を一方向に限定した場合のキープラン表示に切り替えることも可能である。このとき、ＣＰＵ１９は、設計者からの入力を受け付けてどのタブが選択されたかを認識し、認識したタブ方向についての耐力検定結果を耐力検定テーブルから取得してキープランを生成し、表示手段３上に表示する処理を行う。
【００４６】
また、図１２〜図１６に示したキープランは、上述したように柱脚軸方向がＸ、Ｙ両方向についての検定結果に基づくキープランであって、且つ、曲げモーメント及びせん断力の両方を同時に表示したものであるが、柱脚軸方向、応力種類（曲げモーメント、せん断力）、鉛直荷重と水平力方向（右、左）に基づく水平荷重との組み合わせからなる長期荷重、短期荷重、終局荷重の組み合わせを限定して表示することも可能である。
【００４７】
以上のようにして露出型柱脚設計が完了し、設計者のマウス５操作により印刷ウィンドウが表示され、印刷ウィンドウ上で印刷指示入力があると（Ｓ９）、ＣＰＵ１９は、キープランウィンドウ上に表示されているキープランをプリンタで印刷して出力する（Ｓ１０）。印刷されたキープランは図１２に示したキープランに相当する。
【００４８】
また、ＣＰＵ１９は、メインウィンドウ上でのマウス５のクリックなどにより柱脚・露出型柱脚リストウィンドウの表示指示が成されたことを認識すると、柱脚・露出型柱脚リストウィンドウ（図示せず）を表示する。この柱脚・露出型柱脚リストウィンドウは、柱脚・露出型柱脚リスト情報テーブルに基づいて生成されたウィンドウで、耐力検定対象の全露出型柱脚の柱脚・露出型柱脚情報をリスト表示する画面である。
【００４９】
また、キープランを印刷することができるため、このキープランを建築確認申請手続に際しての申請資料として用いることにより、建築主事への説明が容易になり、申請手続き期間の短縮化を図ることが可能となる。
【００５０】
なお、実施の形態１では、表示色によって検定結果を識別できるようにしたが、これは一例であって、マーク、色調、模様などによるものとしてもよく、何れにしても、露出型柱脚マークから曲げモーメント及びせん断力のそれぞれの検定結果を視覚的に識別できるように表示されていれば良い。
【００５１】
また、実施の形態１では、設計図の露出型柱脚位置をキープランの座標系に置き換えてその位置に露出型柱脚マークを表示するようにしているが、設計図（平面図）をそのまま表示手段３上に展開した表示形式としてもよい。
【００５２】
［実施の形態２］
図２０〜図２２は本発明の実施の形態２に係る露出型柱脚設計支援プログラムを説明するものであって、図２０は露出型柱脚設計支援方法を実行するための露出型柱脚設定支援プログラムにおける画面遷移の一例を示す図（実線矢印はウィンドウの遷移の流れを示し、破線矢印は、データの流れを示している）、図２１は軸力判定テーブルの一例を示す図、図２２は圧引判定結果のみを表示したキープランの一例を示す図、図２３はキープランの圧引判定結果の表示形態の例を示す図である。なお、実施の形態１と同じ部分にはこれと同じ符号を付し、一部の説明を省略する。
【００５３】
実施の形態２に係る露出型柱脚設計支援プログラムは、圧引判定結果のみを視覚的に表示するものであるから、実施の形態１における検定に関連する部分が省略されている。
露出型柱脚設計支援方法を実行するための機器構成である露出型柱脚設計支援システム２は、露出型柱脚設計支援システム１（実施の形態１）に同じであるから、説明を省略する。
すなわち、図２０において、露出型柱脚設計支援システム２では、露出型柱脚設計支援システム１における耐力検定テーブル１８（図５参照）が、軸力判定テーブル７１（図２１参照）に置き換わっている。また、図２１に示す軸力判定テーブル７１は、図５に示す耐力検定テーブル１８から、曲げモーメントやせん断力に関連する値を削除したものである。
【００５４】
そして、図２２に示すキープランには、キープランの座標系に置き換えて表示された露出型柱脚マークの側に、「引張」または「圧縮」の文字のみが表示されている。
さらに、図２３には、圧引判定結果が、省略文字やプラス／マイナスの記号や、色分け（塗りつぶしの有無）によって、表示されている。
【００５５】
（作用・効果）
以上説明したように、実施の形態２によれば、圧引判定対象の各露出型柱脚の配列を模式的に示したキープランを表示手段３で表示すると共に、表示手段３上の各露出型柱脚マークの近傍に圧引判定結果を視覚的に識別できるようにしたので、設計者は、各露出型柱脚の何れの露出型柱脚が引張側にあるか、迅速かつ容易に把握できるようになる。よって、設計作業に要する時間を短縮でき、また、設計作業の効率化を図ることが可能となる。
【産業上の利用可能性】
【００５６】
本発明は以上であって、設計作業の効率化を図ることが可能になるから、各種形態の建築構造物や土木構造物の設計における露出型柱脚設計支援方法を実施するための、露出型柱脚設計支援システム及び露出型柱脚設計支援プログラムとして、広く利用することができる。
【図面の簡単な説明】
【００５７】
【図１】発明の実施の形態１に係る露出型柱脚設計支援プログラムの処理の流れの一例を示すフローチャート。
【図２】図１に示す露出型柱脚設定支援プログラムにおける画面遷移の一例を示す図。
【図３】図１に示す露出型柱脚設計支援プログラムを実行するための機器構成である露出型柱脚設計支援システムの構成を示すブロック図。
【図４】柱脚・露出型柱脚情報リストテーブルを示す図。
【図５】応力・耐力情報テーブルを示す図。
【図６】軸力検定用テーブルを示す図。
【図７】柱脚軸方向別の露出型柱脚検定テーブルを示す図。
【図８】柱脚・通り記号定義テーブルを示す図。
【図９】設計図上の柱脚配列とキープラン上の柱脚配列の説明図。
【図１０】耐力検定ウィンドウの一例を示す図。
【図１１】柱脚・通り記号定義ウィンドウの一例を示す図。
【図１２】キープランの全体図を示す図。
【図１３】表示手段に表示されたキープランウィンドウを示す図（その１）。
【図１４】表示手段に表示されたキープランウィンドウを示す図（その２）。
【図１５】表示手段に表示されたキープランウィンドウを示す図（その３）。
【図１６】表示手段に表示されたキープランウィンドウを示す図（その４）。
【図１７】色定義テーブルを示す図。
【図１８】キープランに表示される表の出力内容の説明図。
【図１９】本発明の実施の形態１に係る露出型柱脚設計支援プログラムにおける、圧引判定の処理の流れの一例を示すフローチャート。
【図２０】本発明の実施の形態２に係る露出型柱脚設定支援プログラムにおける画面遷移の一例を示す図。
【図２１】軸力判定テーブルの一例を示す図。
【図２２】圧引判定結果のみを表示したキープランの一例を示す図。
【図２３】キープランの圧引判定結果の表示形態の例を示す図。
【符号の説明】
【００５８】
１ 露出型柱脚設計支援システム
２ 露出型柱脚設計支援システム
３ 表示手段
５ マウス
７ キーボード
９ 記憶装置
１３ メモリ
１５ ハードディスク
１６ 露出型柱脚リストテーブル
１７ プリンタ
１８ 耐力検定テーブル
２０ 記号定義テーブル
２１ 露出型柱脚位置定義フィールド
２２ａ フィールド
２３ リストボタン
２４ 入力フィールド
２５ ボタン
３１ 記号入力フィールド
３２ 記号入力フィールド
３３ 採番設定支援フィールド
３４ 採番設定支援フィールド
３５ クリアフィールド
３６ 軸選択フィールド
３７ ボタン
７１ 軸力判定テーブル
【図１】
0005241333.tif 000002
【図２】
0005241333.tif 000003
【図３】
0005241333.tif 000004
【図４】
0005241333.tif 000005
【図５】
0005241333.tif 000006
【図６】
0005241333.tif 000007
【図７】
0005241333.tif 000008
【図８】
0005241333.tif 000009
【図９】
0005241333.tif 000010
【図１０】
0005241333.tif 000011
【図１１】
0005241333.tif 000012
【図１２】
0005241333.tif 000013
【図１３】
0005241333.tif 000014
【図１４】
0005241333.tif 000015
【図１５】
0005241333.tif 000016
【図１６】
0005241333.tif 000017
【図１７】
0005241333.tif 000018
【図１８】
0005241333.tif 000019
【図１９】
0005241333.tif 000020
【図２０】
0005241333.tif 000021
【図２１】
0005241333.tif 000022
【図２２】
0005241333.tif 000023
【図２３】
0005241333.tif 000024